(57)【特許請求の範囲】
【請求項１】
外装体によって被覆されたスプリングユニットを備えたクッション装置において、
上記スプリングユニットは、一本の線材によって複数のコイル部及び隣り合うコイル部の上端と下端とをそれぞれ上部連結杆部と下部連結杆部とで連結して形成された複数の連続ばね体を並設してなり、
このスプリングユニットには、上記コイル部の上端と上部連結杆部との間に、上記連続ばね体の並設方向と交差する方向に沿ってバイブレータが弾性的に挿入保持されることを特徴とするクッション装置。
【請求項２】
上記バイブレータは、上記連続ばね体の上部連結杆部に連結部材によって連結されることを特徴とする請求項１記載のクッション装置。
【発明の詳細な説明】
【０００１】
【発明の属する技術分野】
この発明はバイブレータを内蔵するクッション装置に関する。
【０００２】
【従来の技術】
たとえば、ベッドに用いられるマットレス装置などのクッション装置はスプリングユニットを主体として構成されている。このようなクッション装置においては、その付加価値を高めるために、上記スプリングユニットにバイブレータを内蔵し、利用者にマッサージ作用を与えることができるようにしたものがある。
【０００３】
利用者がマッサージを受ける場合、身体の一部に部分的にマッサージを受けるよりも、身体の広い範囲にわたってマッサージを受けることができるようにした方がマッサージ効果を高めることができる。
【０００４】
そこで、上記スプリングユニットに複数のバイブレータを内蔵し、スプリングユニットの複数箇所で振動を発生させることで、マッサージ効果を高めるようにするということが考えられている。
【０００５】
スプリングユニットにバイブレータを内蔵する場合、バイブレータをスプリングユニットの上面に単に載置するようにしたのでは、そのバイブレータの硬い感触が利用者に伝わるため、クッション装置の性能低下を招くということがある。
【０００６】
バイブレータの硬い感触が利用者に伝わらないようにするため、バイブレータをスプリングユニット内に埋め込むということも考えられている。その場合、スプリングユニットを構成するスプリングの一部を除去し、その部分にバイブレータを設けるということが行われる。
【０００７】
【発明が解決しようとする課題】
しかしながら、バイブレータをスプリングユニットに埋め込むようにして設けた場合、バイブレータによってスプリングユニットの上面を強く振動させることができないから、クッション装置上の利用者を強くマッサージすることができないということがあったり、バイブレータを設けるためにスプリングの一部を除去するなど、スプリングユニットを加工しなければならないから、その加工に手間が掛かるということがある。しかも、スプリングの一部を除去することで、スプリングユニットのクッション性能が低下するということもあった。
【０００８】
この発明は、バイブレータの硬い感触を利用者に感じさせることなく、しかもスプリングユニットに特殊な加工をすることなく、バイブレータをスプリングユニットに設けることができるようにしたクッション装置を提供することにある。
【０００９】
【課題を解決するための手段】
請求項１の発明は、外装体によって被覆されたスプリングユニットを備えたクッション装置において、
上記スプリングユニットは、一本の線材によって複数のコイル部及び隣り合うコイル部の上端と下端とをそれぞれ上部連結杆部と下部連結杆部とで連結して形成された複数の連続ばね体を並設してなり、
このスプリングユニットには、上記コイル部の上端と上部連結杆部との間に、上記連続ばね体の並設方向と交差する方向に沿ってバイブレータが弾性的に挿入保持されることを特徴とするクッション装置にある。
【００１０】
請求項２の発明は、上記バイブレータは、上記連続ばね体の上部連結杆部に連結部材によって連結されることを特徴とする請求項１記載のクッション装置にある。
【００１１】
請求項１の発明によれば、連続ばね体によってスプリングユニットを構成し、その連続ばね体のコイル部の上端と上部連結杆部との間にバイブレータを弾性的に挿入保持するようにしたことで、バイブレータがスプリングユニットの上面側に突出しないため、利用者にバイブレータの硬さを感じさせることがなく、しかもスプリングユニットに余計な加工をせずにバイブレータを設けることができる。
【００１２】
請求項２の発明によれば、バイブレータを連続ばね体の上部連結杆部に連結部材によって連結したことで、バイブレータの保持状態を確実に維持することができる。
【００１３】
【発明の実施の形態】
以下、この発明の一実施の形態を図面を参照して説明する。
【００１４】
図１はクッション装置としてのマットレス装置を示し、このマットレス装置はスプリングユニット１を備えている。このスプリングユニット１は複数の連続ばね体２を並設して構成されている。
【００１５】
上記連続ばね体２は図３に示すように１本の鋼線によって複数のコイル部３が一列に連続して形成されており、隣り合うコイル部３の上端及び下端は、それぞれ平面形状がコ字状の上部連結杆部４と下部連結杆部５とによって連続している。
【００１６】
上部連結杆部４と下部連結杆部５は連続ばね体２の長手方向に対してピッチをずらして配置されており、また隣り合うコイル部３は一部が絡み合わされ、その箇所が結合部６となっている。
【００１７】
並設された複数の連続ばね体２は、図１と図２に示すようにコイル部３の上下端、つまり隣り合う上部連結杆部４の側部と、下部連結杆部５の側部とがそれぞれ連続ばね体２の並設方向に沿って設けられたヘリカル線７によって連結されて一体化されている。なお、下部連結杆部５を連結したヘリカル線７は図示されていない。
【００１８】
このように構成されたスプリングユニット１には、図１に示すように長手方向に沿って所定間隔で複数のバイブレータ８が設けられている。なお、長手方向中央部には２つのバイブレータ８が設けられ、他の箇所はそれぞれ１つのバイブレータ８が設けられている。
【００１９】
上記バイブレータ８は、並設された複数の連続ばね体２にまたがって設けられている。つまり、バイブレータ８は所定の厚さを有する矩形板状をなしていて、この実施の形態では図２に示すように隣り合う３つの連続ばね体２のコイル部３の上端面と、コイル部３の上端を連結した上部連結杆部４との間に、コイル部３を弾性的に圧縮変形させながら矢印方向に挿入することで保持される。
【００２０】
連続ばね体２に保持されたバイブレータ８は、このバイブレータ８の周辺部に形成された取付孔９に樹脂製のバンド１１を通し、このバンド１１を連続ばね体２の上部連結杆部４の両側部に連結して保持固定されている。
【００２１】
上記スプリングユニット１の上下面にはシート状のクッション材１２が積層され、このクッション材１２が布地を袋状に縫製した外装体１３によって被覆されている。
【００２２】
このような構成のマットレス装置によれば、スプリングユニット１の長手方向に沿って所定間隔で配置されるバイブレータ８を、隣り合う複数の連続ばね体２のコイル部３の上端と上部連結杆部４との間に弾性的に挿入保持されている。
【００２３】
そのため、上記バイブレータ８は連続ばね体２の上部連結杆部４の下側、つまりスプリングユニット１の上面側に突出することがなく設けられているから、マットレス装置上に仰臥する利用者に上記バイブレータ８の硬さを感じさせることがない。つまり、バイブレータ８は、利用者に不快感を与えることのない状態でスプリングユニット１に設けることができる。
【００２４】
上記バイブレータ８は、並設された複数の連続ばね体２のコイル部３の上端と上部連結杆部４との間に、上記コイル部３を弾性的に圧縮変形させて挿入保持するようにした。
【００２５】
そのため、バイブレータ８をスプリングユニット１に設けるために、連続ばね体２の形状を変えたり、ばね体２の一部を除去するなど、スプリングユニット１に余計な加工をすることなく設けることができるから、その取付け作業を容易に、しかも迅速に行うことが可能となるばかりか、スプリングユニット１のクッション性能の低下を招くということもない。
【００２６】
コイル部３の上端と上部連結杆部４との間に挿入保持されたバイブレータ８は樹脂製のバンド１１によってばね体２の上部連結杆部４に連結されている。そのため、上記バイブレータ８のスプリングユニット１に対する取付け位置がずれ動いたり、スプリングユニット１から落下するなどのことがない。
【００２７】
バイブレータ８がコイル部３の上端と上部連結杆部４との間に挿入保持されていることで、バイブレータ８が作動すると、コイル部３の弾力性によってその振動が増幅されるため、上部連結杆部４の振動が強くなる。
【００２８】
そのため、マットレス装置上に仰臥した利用者に比較的強いマッサージ作用を与えることができる。
【００２９】
なお、この発明は上記一実施の形態に限定されるものではなく、たとえばクッション装置としてはマットレス装置に限られず、ソファー装置やソファーベッド装置などであってもよく、要はスプリングユニットを必要とするクッション装置であれば、この発明を適用することが可能である。
【００３０】
【発明の効果】
請求項１の発明によれば、連続ばね体を並設してスプリングユニットを構成し、その連続ばね体のコイル部の上端と上部連結杆部との間にバイブレータを弾性的に挿入保持するようにした。
【００３１】
そのため、バイブレータがスプリングユニットの上面側に突出しないため、利用者にバイブレータの硬さを感じさせることがないばかりか、バイブレータを設けるためにスプリングユニットのばね体に余計な加工をしたり、一部を除去するなどのことをせずにすむから、バイブレータをスプリングユニットに容易に設けることが可能となるばかりか、スプリングユニットのクッション性能を低下させるということもない。
【００３２】
請求項２の発明によれば、コイル部と上部連結杆部との間に挿入保持されたバイブレータを、上記上部連結杆部に連結部材によって連結するようにした。
【００３３】
そのため、スプリングユニットにバイブレータを、ずれ動くようなことなく確実に保持することができるから、クッション装置のバイブレータによるマッサージ性能を長期にわたって同じ状態で良好に維持することが可能となる。
【図面の簡単な説明】
【図１】この発明の一実施の形態を示す外装体の大部分を除去したマットレス装置の平面図。
【図２】同じく図１のＡ部の拡大図。
【図３】同じくばね体の一部を示す斜視図。
【符号の説明】
１…スプリングユニット
２…ばね体
３…コイル部
４…上部連結杆部
５…下部連結杆部
７…ヘリカル線
８…バイブレータ
１１…バンド（連結部材）
１３…外装体
【図１】
0003668646.tif 000002
【図２】
0003668646.tif 000003
【図３】
0003668646.tif 000004